(57)【要約】【課題】缶に対して取り付けやすく、しかも一旦取り付けると簡単には外れない販促用の缶用表示物を提供すること。【解決手段】上部巻締め部Ｃａの下側に隣接して外広がりの傾斜部Ｃｂがあるタイプの缶Ｃに取り付けられる缶用表示物であって、缶Ｃの傾斜部Ｃｂに沿うリング状で下広がりの帯状体１０からなり、その上縁には複数個の突起１０ａが並んで形成されている。缶Ｃの上部に被せて押し込むと、帯状体１０が缶Ｃの傾斜部Ｃａに沿うとともに、上縁にある複数個の突起１０ａが缶Ｃの上部巻締め部Ｃａを乗り越えてその下側に引っ掛かるので、簡単には外れない状態になる。【選択図】図４
2008185776.tif 000002
【特許請求の範囲】
【請求項１】
上部巻締め部の下側に隣接して外広がりの傾斜部があるタイプの缶に取り付けられる缶用表示物であって、缶の傾斜部に沿うリング状で下広がりの帯状体からなり、その上縁には複数個の突起が並んで形成されていることを特徴とする缶用表示物。
【請求項２】
帯状体の上縁から上方に突き出るようにして上方表示部が設けられていることを特徴とする請求項１に記載の缶用表示物。
【請求項３】
帯状体の下縁から下方に突き出るようにして下方表示部が設けられていることを特徴とする請求項１又は２に記載の缶用表示物。
【発明の詳細な説明】
【技術分野】
【０００１】
本発明は、缶ジュースや缶ビールなどの飲料缶等に取り付けて使用される販促用の缶用表示物に関するものである。
【背景技術】
【０００２】
従来、缶ジュースや缶ビールなどの飲料缶は、例えば新製品の販促を行うに際して缶自体に何らかの付加的な広告をしたり、景品等を付けたりするような場合、缶の側面にシールを貼り付けたり、或いは景品を入れたビニール袋や広告を印刷したシートなどを輪ゴムや接着テープで缶に取り付けることが行われている。ところが、それでは缶が接着剤で汚れるといった問題や、体裁が悪いといった問題があることから、缶の上部にある巻締め部を利用して取り付けるようにしたシート状の表示物が提案されている。
【特許文献１】実用新案登録第３０８９５０２号公報
【特許文献２】特開２００５−１０７４６９号公報
【発明の開示】
【発明が解決しようとする課題】
【０００３】
上記したようなシート状の表示物は、缶の上に載せた状態で外側部分を折り曲げて缶の巻締め部に係止することで、缶に対して簡単に取り付けることができ、しかも缶から大きくはみ出ないので場所を取らないという利点がある。しかしながら、折曲げ部分が持ち上げられるような力が掛かると缶の巻締め部から簡単に外れてしまうという問題がある。
【０００４】
本発明は、このような問題に鑑みてなされたものであり、その目的とするところは、缶に対して取り付けやすく、しかも一旦取り付けると簡単には外れない販促用の缶用表示物を提供することにある。
【課題を解決するための手段】
【０００５】
上記の目的を達成するため、本発明に係る缶用表示物は、上部巻締め部の下側に隣接して外広がりの傾斜部があるタイプの缶に取り付けられる缶用表示物であって、缶の傾斜部に沿うリング状で下広がりの帯状体からなり、その上縁には複数個の突起が並んで形成されていることを特徴としている。
【０００６】
この缶用表示物は、缶の上部に被せて押し込むと、帯状体が缶の傾斜部に沿うとともに、上縁にある複数個の突起が缶の上部巻締め部を乗り越えてその下側に引っ掛かるので、簡単には外れない状態にすることができる。
【０００７】
このような缶用表示物において、帯状体の上縁から上方に突き出るようにして上方表示部が設けられているようにしてもよい。この上方表示部を設けることにより、表示内容を多くすることができる。
【０００８】
さらには、前記したような缶用表示物において、帯状体の下縁から下方に突き出るようにして下方表示部が設けられているようにしてもよい。この下方表示部を設けることにより、表示内容を多くすることができる。
【発明の効果】
【０００９】
本発明の缶用表示物は、缶の上部に被せて押し込むという簡単な操作だけで缶に取り付けることができ、しかも一旦缶に取り付けると、上縁にある複数個の突起が缶の上部巻締め部の下側に引っ掛かるので、帯状体に対して上向きに外す方向の外力が掛かっても簡単に外れない状態にすることができる。また、帯状体が缶の傾斜部に沿うので、外側に大きく飛び出ない状態で取り付けることができる。
【発明を実施するための最良の形態】
【００１０】
以下、本発明の実施形態について図面を参照しながら詳細に説明する。
【００１１】
図１は本発明に係る缶用表示物の一例を取付け状態で示す斜視図、図２は図１の缶用表示物を形成するブランクシートの展開図である。
【００１２】
図２のブランクシートＢは、所定の印刷を施した大きな板紙を打ち抜いて作製された一枚もので、内側に複数個の突起１０ａが波状に並んで形成された円弧状の帯状体１０からなり、その帯状体１０の中程には腕部分２１を介して内側に突き出るように延設された円形状の上部表示部２０を有し、さらにその上部表示部２０と反対側には腕部分３１を介して外側に突き出るように延設された矩形状の下部表示部３０を有している。なお、これらの腕部分２１，３１は折曲げを考慮して両側に罫線を設けてある。
【００１３】
ブランクシートＢにおける帯状体１０は、折線ａ，ｂ，ｃにより糊代片１１、四分割片１２、二分割片１３、四分割片１４に区画されており、これらの折線ａ，ｂ，ｃを折り曲げて、糊代片１１を四分割片１４の端部裏側に貼り合わせることで、図３に示すような折畳み状態の缶用表示物Ａとする。
【００１４】
缶用表示物Ａは、図３に示す折畳み状態で供給される。そして、図４に示すように、リング状に広げた状態としてから、缶Ｃの上部に被せて押し込むようにして取り付ける。この缶Ｃは、市販の３５０ｍｌや５００ｍｌの飲料缶のように、上部巻締め部Ｃａの下側に隣接して外広がりの傾斜部Ｃｂがあるタイプの缶である。したがって、缶用表示物Ａの帯状体１０は、リング状に広げると図示の如く下広がりとなるが、そのリングの部分が缶Ｃの傾斜部Ｃｂに沿うサイズとなるように各種寸法を設定しておく。
【００１５】
このように、缶用表示物Ａの帯状体１０をリング状に広げると、缶Ｃの傾斜部Ｃｂに沿うサイズとなり、その上縁には複数個の突起１０ａが並んで形成されているので、缶Ｃの上部に被せて押し込むと、図１に示すように、複数個の突起１０ａが缶Ｃの上部巻締め部Ｃａの下側に引っ掛かり、帯状体１０に対して上向きに外す方向の外力が掛かっても簡単には外れなくなる。また、帯状体１０が缶Ｃの傾斜部１０ｂに沿うので、外側に大きく飛び出ない状態となる。そして、帯状体１０の上縁から上方に突き出るようにして、起立状の上部表示部２０が設けられるとともに、帯状体１０の下縁から下方に突き出るようにして、前垂れ状の下部表示部３０が設けられた状態となる。
【００１６】
この缶用表示物Ａでは、帯状体１０における複数個の突起１０ａを波状に連続状態で形成したが、その数や間隔は、缶Ｃの上部巻締め部Ｃａから外れないよう設計時に適宜決めればよい。また、突起１０ａの先端は尖っている方が引っ掛かって止まりやすいので好ましいが、その角度も適宜決めればよいことである。
【００１７】
帯状体１０には、キャンペーンや広告を行うための絵柄や文字などを印刷しておく。そして、この缶用表示物Ａでは、上部表示部２０と下部表示部３０を延設してあるので、これらによって表示内容を多くすることができる。また、ここでは、上部表示部２０と下部表示部３０にそれぞれ腕部分２１，３１を設けてあるので、缶用表示物Ａを缶Ｃに取り付けた後、これらの腕部分２１，３１により上部表示部２０と下部表示部３０をそれぞれ適宜な角度で折り曲げることができる。また、上部表示部２０の形状を缶Ｃの上部巻締め部Ｃａと略同じとしてあるので、上部表示部２０を腕部分２１から倒すと、取り付けてからも邪魔にならないようにすることができる。
【００１８】
なお、これらの上部表示部１０と下部表示部２０は何れか一方でもよいし、用途によっては両方とも設けなくても構わない。また、上部表示部１０と下部表示部２０の形状は任意である。
【００１９】
上部表示部１０と下部表示部２０は、帯状体１０に比べると任意の形状を採れるので、ここに商品広告の印刷を施すと大きく目立たせることができる。また、印刷を施すほか、例えばスクラッチ式やめくり式等のクジ部を設けることもできる。また、適宜な印刷を施すほか、上部表示部１０や下部表示部２０を例えば切取り可能なクーポン券とすることもできる。
【産業上の利用可能性】
【００２０】
本発明の缶用表示物は、一般に用いられているアルミ缶、スチール缶の何れにも対応することができる。そして、缶ジュースや缶ビールなどの飲料缶に販促用として取り付けて使用するのが好適であるが、上部巻締め部の下側に隣接して外広がりの傾斜部があるタイプの缶でありさえすれば任意のタイプの缶に取り付けて使用することが可能である。
【図面の簡単な説明】
【００２１】
【図１】本発明に係る缶用表示物の一例を取付け状態で示す斜視図である。
【図２】図１の缶用表示物を形成するブランクシートの展開図である。
【図３】図２のブランクシートを折り畳んで缶用表示物とした平面図である。
【図４】図３に示す缶用表示物を缶に取り付ける様子を示す説明図である。
【符号の説明】
【００２２】
Ａ  缶用表示物
Ｂ  ブランクシート
Ｃ  飲料缶
Ｃａ  上部巻締め部
Ｃｂ  傾斜部
１０  帯状体
１０ａ  突起
１１  糊代片
１２  四分割片
１３  二分割片
１４  四分割片
２０  上部表示部
２１  腕部分
３０  下部表示部
３１  腕部分
【図１】
2008185776.tif 000003
【図２】
2008185776.tif 000004
【図３】
2008185776.tif 000005
【図４】
2008185776.tif 000006